(57)【要約】【課題】  本発明は、簡単且つ円滑に揉上げなどの鬢を切り揃えることを課題とする。また、切断前に左右の鬢の切断位置を同時に定めて、左右の鬢をバランスよく切断することを課題とする。【解決手段】  鬢を切り揃えるための補助具であって、鬢の揃え線を指示する指示構造を有し、且つ指示構造を人の頭部の所定位置に支持する手段を有する。また、補助具は一対の指示構造を有し、且つ指示構造が頭部の両側の位置に支持される。さらに好ましくは、指示構造が補助具に対して揃え線の位置を変更できる手段を有している。【選択図】  図１
2007215753.tif 000002
【特許請求の範囲】
【請求項１】
鬢を切り揃えるための補助具であって、鬢の揃え線を指示する指示構造を有し、且つ指示構造を人の頭部の所定位置に支持する手段を有することを特徴とする補助具。
【請求項２】
指示構造は、補助具に対して揃え線の位置を変更できる手段を有している請求項１記載の補助具。
【請求項３】
指示構造は、補助具本体と別体に形成され、且つ補助具本体に対して可動に取り付けられている請求項２記載の補助具。
【請求項４】
一対の指示構造を有し、且つ指示構造が頭部の両側の位置に支持される請求項１乃至請求項３記載の補助具。
【発明の詳細な説明】
【技術分野】
【０００１】
本発明は、揉上げなどの鬢を切り揃えるための補助具に関する。特に、自ら自分自身の鬢を切り揃えるために有用な補助具に関する。
【背景技術】
【０００２】
従来、揉上げなどの鬢を切り揃えるときは櫛が使用され、揉上げを切り揃えるときに櫛が耳に当たらないように櫛の一部をく字形に曲げた櫛が提案されている（例えば、特許文献１参照。）。
【特許文献１】登録実用新案第３０２４８１０号公報
【発明の開示】
【発明が解決しようとする課題】
【０００３】
本発明は、簡単且つ円滑に揉上げなどの鬢を切り揃えることを課題とする。また、切断前に左右の鬢の切断位置を同時に定めて、左右の鬢をバランスよく切断することを課題とする。
【０００４】
従来は特許文献１のように揉上げなどの鬢に櫛を宛がって揉上げを切り揃えていた。理美容師など自分以外の者が櫛を使用して鬢を切るのであれば作業に支障を来たすことはない。しかし、自分自身で櫛を使用して鬢を切るときは、まず、櫛を持った手が邪魔になる。邪魔になるから、鬢の位置から手を遠ざけようとして櫛の端を持って切断すると櫛が不安定になって円滑に切り揃えることができない。また、鬢を単に切り揃えるのではなく梳くようにして切り揃えるときはその作業に時間がかかり櫛を持つ手が疲れてしまう。また、頭部の一方の側の鬢を切り揃えた後で他方の側の鬢を切るので左右のバランスをとることがむずかしい。そこで、本発明は、鬢に宛がう補助具を手で持つ必要がなく切断時に手が邪魔にならない補助具を提供することを目的とする。また、左右の鬢の切断位置を同時に定めてあらかじめバランスをとって切断することができる補助具を提供することを目的とする。
【課題を解決するための手段】
【０００５】
本発明の請求項１は、鬢を切り揃えるための補助具であって、鬢の揃え線を指示する指示構造を有し、且つ指示構造を人の頭部の所定位置に支持する手段を有する構成である。
【０００６】
請求項２は、指示構造が補助具に対して揃え線の位置を変更できる手段を有している要素が請求項１に付加された構成である。
【０００７】
請求項３は、指示構造が補助具本体と別体に形成され、且つ補助具本体に対して可動に取り付けられている要素が請求項２に付加された構成である。
【０００８】
請求項４は、一対の指示構造を有し、且つ指示構造が頭部の両側の位置に支持される要素が請求項１乃至請求項３に付加された構成である。
【発明の効果】
【０００９】
請求項１は、鬢の揃え線を指示する指示構造を有し、且つ指示構造を人の頭部の所定位置に支持する手段を有している。したがって、指示構造は手で持たなくても頭部の所定の位置に支持されるので、鬢の切断時に手が邪魔にならない。指示構造を手で持たないの手が疲れない。指示構造を手で持って使用すると手の動きで指示構造がぶれる虞があるが、指示構造を頭部の所定の位置に支持する手段を有しているので支持構造がぶれる虞がない。
【００１０】
請求項２は、指示構造が補助具に対して揃え線の位置を変更できる手段を有している。したがって、補助具を頭部などに装着したままで指示構造を適切な位置に変更して、鬢を切り揃えることができる。
【００１１】
請求項３は、指示構造が補助具本体と別体に形成され、且つ補助具本体に対して可動に取り付けられている。したがって、補助具を頭部などに装着したままで指示構造を種々の状態に支持することが可能となる。例えば、指示構造を上下方向に移動できる。鬢の揃え線を水平でなく斜めにしたいときは、指示構造を斜めの状態にすることができる。
【００１２】
請求項４は、一対の指示構造を有し、且つ指示構造が頭部の両側の位置に支持される構成である。したがって、自分自身で鬢を切り揃えるときに切断前に指示構造を頭部の両側に支持すれば、鏡を見ながら指示構造を移動し、左右のバランスを考慮して揃え線の位置を決めることができる。これにより、左右のバランスが整った鬢を切り揃えることができる。
【発明を実施するための最良の形態】
【００１３】
次に本発明を実施するための最良の形態について説明する。図１に示すように、補助具１は可撓性を有する合成樹脂で形成されたフレーム２を有する。フレーム２を人の頭部に宛がい、フレーム２に設けられた耳掛部３，３を耳に掛けて補助具１を頭部に取り付けることができる。フレーム２が可撓性を有するから、頭部の小さい人から大きい人まで対応できる。フレーム２はその後端で軸４により結合されており、フレーム２は軸４を中心に折って畳むことができる。
【００１４】
図１に示すように、フレーム２と耳掛部３は一体に形成され、両先端に支柱５，５が嵌め込まれている。図２に示すように、支柱５の外周面に多数の溝６が形成されている。溝６のピッチは３ｍｍである。ピッチはこれに限定されないが好ましくは１〜９ｍｍである。図２は支柱５を外側から見た図であって、支柱５の外側面に１から１１までの目盛が印刷により付されている。目盛は支柱５の前側面に付してもよい。前側面に目盛を付したときは、顔の正面を鏡に写したときに目盛を見ることができて便利である。支柱５の下端にフランジ７が嵌め込まれている。フランジ７は指示部材８を支柱に取り付けた後で嵌め込む。支柱５の内部に錘をいれてもよい。これにより、耳掛部３は耳に確実に掛けられ、補助具１が浮き上がることを防止できる。
【００１５】
支柱５，５には指示構造である指示部材８，８が上下に移動可能に取り付けられている。前述したように支柱５に目盛があるので指示部材８の高さを容易に知ることができる。指示部材８は定規部９と基部１０とから成る。定規部９は軸１１によって基部１０に結合されている。基部１０は挿通孔１４を有しており、この中に支柱５を挿通することにより基部１０が上下に移動可能となるように補助具１に取り付けられる。さらに、断面が円形である挿通孔１４内に支柱５が挿通されることから、指示部材８は支柱５を中心に水平に回動可能である。これにより、定規部９を鬢に宛がったまま切るか、宛がわずに切るかを選択できる。また、後頭部の幅より顔の幅が小さい人や、あるいは逆に大きい人などすべてに対応できる。
【００１６】
定規部９は軸１１を中心に基部１０に対して上下に回動可能である。したがって、定規部９は斜めの状態でもセットできる。これにより、鬢を水平に切り揃えるほかに前下がりの斜め線に切り揃えたり、後下がりの斜め線に切り揃えたりすることができる。また、定規部９を支柱５に沿うように畳むことができて補助具１の保管に便利である。
【００１７】
図２に示すように、基部１０の外側面にスリット１２，１２が形成され、その間に係止片１３が形成されている。この係止片１３の下端内面に係止突起（図示せず。）が設けられ、この係止突起が溝６に係止して指示部材８は支柱５上に固定される。固定されるので指示部材８は下方に滑り落ちない。これらのスリット１２，１２と係止片１３は同じ基部１０の内側面にも形成されている。
【００１８】
図３に示すように、定規部９の断面は逆Ｔ字形をなしている。そして、定規部９の底面１５が外側に行くに従って上昇する傾斜面に形成されている。これにより、鋏で切り揃えるときに鋏が底面１５に全面的に当たることがない。底面１５を水平面とすれば、切り揃えているときに鋏が底面１５に当たって円滑に切断できないからである。
【００１９】
補助具１の重さは支柱５に錘を用いない状態で約１０ｇである。補助具１を使用する前の状態で両支柱５，５間の距離は約１２０ｍｍである。支柱５の長さは約６８ｍｍである。補助具１の材料は、基部１０がポリアセタール樹脂であり、軸４と軸１１は金属であり、それ以外はＡＢＳ樹脂である。しかし、これに限定されるものではない。
【００２０】
次に本発明の使用法について説明する。図４は揉上げを切り揃える状態を示している。まず、補助具１のフレーム２を後頭部に宛がい、耳掛部３を耳に掛ける。次いで、鏡を見ながら指示部材８の高さを調節し定規部９の回動角を調節する。そして、定規部９に沿って鋏で揉上げを切り揃える。鋏のかわりにかみそりを使用できることは勿論である。フレーム２を後頭部に宛がって補助具１を支持する構造が好ましいが、後頭部以外の頭部で支持できるようにフレーム２の構造を変えてもよい。例えば、ヘッドホンのヘッドバンドと同じ構造にして頭部の上に宛がってもよい。あるいは、補助具１をキャップ状にしてそれに指示部材を設けてもよい。また、頭部以外で支持する構造であってもよい。なお、図４の鋏は理解しやすいように正面を向いているが、この場合は鋏を水平にして使用することが一般的あることは言うまでもない。
【００２１】
図５は、揉上げを梳いて切り揃える状態を示している。図４のように定規部９よりも下側の揉上げを全部切り取るのではなく、鋏の刃を揉上げの方向に合わせて梳くのである。したがって、定規部９の下側の揉上げは梳かれて密度が薄くなるのである。
【図面の簡単な説明】
【００２２】
【図１】本発明の斜視図
【図２】補助具の先端部分の側面図
【図３】図２におけるＡ−Ａ断面図
【図４】使用状態を示す図
【図５】他の使用状態を示す図
【符号の説明】
【００２３】
１  補助具
２  フレーム
３  耳掛部
４  軸
５  支柱
６  溝
７  フランジ
８  指示部材
９  定規部
１０  基部
１１  軸
１２  スリット
１３  係止片
１４  挿通孔
１５  底面
【図１】
2007215753.tif 000003
【図２】
2007215753.tif 000004
【図３】
2007215753.tif 000005
【図４】
2007215753.tif 000006
【図５】
2007215753.tif 000007